(57)【要約】【課題】ねじりバネの位置ズレや脱落の発生を無くする。【解決手段】第１操作部材１１と第２操作部材１２とを取付ブラケット１６により回動自在に取り付ける。第１操作部材１１の上部に上当部１３を設ける。上当部１３の下方で第１操作部材１１に下当部１４を摺動自在に取り付ける。取付ブラケット１６の下方で第１及び第２操作部材１１，１２に沿わせて、ねじりバネ１５を配置する。ねじりバネ１５の両端部を折り曲げて、折り曲げ係止部３２，３３を形成する。第１及び第２操作部材１１，１２に係止孔４０，４１を形成し、この係止孔４０，４１に折り曲げ係止部３２，３３を挿入する。折り曲げ係止部３２，３３を挿入した状態で指掛けカバー１７，１８の取付孔３６に各操作部材１１，１２に圧入する。係止孔４０，４１にねじりバネ１５の端部が確実に係止されるため、ねじりバネ１５の位置ズレや脱落が無くなる。【選択図】図１
0003137017.tif 000002
【実用新案登録請求の範囲】
【請求項１】
下部に指掛け部を有し互いに交差するように取付軸部により回転変位自在に取り付けられている第１操作部材及び第２操作部材と、第１操作部材の上部に取り付けられる上当部と、この上当部の下方で第１操作部材に摺動可能に取り付けられ前記第１及び第２操作部材の開閉操作により上当部に当接離反する下受部とを有し、前記上当部と下当部との間にまつげを挟み、まつげに反り癖をつけるまつげカール器において、
前記取付軸部の下方の第１操作部材と前記第２操作部材との間で各操作部材に沿って配置されるバネ部材と、
前記バネ部材の両端部に形成される折り曲げ係止部と、
前記バネ部材の取付状態において前記折り曲げ係止部が位置する前記第１操作部材及び第２操作部材の部位に形成され、前記折り曲げ係止部が挿入される係止孔と、
前記係止孔に前記折り曲げ係止部が挿入された状態で前記折り曲げ係止部を含む前記バネ部材の一部を被うように、前記第１操作部材及び第２操作部材に嵌合し、前記指掛け部を構成する指掛けカバーとを備えることを特徴とするまつげカール器。
【請求項２】
前記第１操作部材及び第２操作部材はワイヤを折り曲げて前記ワイヤを並列させたワイヤフレーム構造体から構成され、前記係止孔の中心は前記並列させたワイヤ同士の密着部に位置していることを特徴とする請求項１記載のまつげカール器。
【請求項３】
前記バネ部材は、ねじりバネ、棒バネ、板バネ、圧縮コイルバネのいずれか一つであることを特徴とする請求項１または２記載のまつげカール器。
【考案の詳細な説明】
【技術分野】
【０００１】
本考案は、まつげカール器に関するものである。
【背景技術】
【０００２】
まつげカール器は従来から種々のタイプが提案されている。特に、取付軸により回転変位可能に交差して取り付けられた二つの操作部材を指で操作し、開閉することにより、まつげを上当部及び下当部で挟み、まつげに反り癖を付ける挟み状の操作部を有するまつげカール器は、構造が簡単で製造が容易である。
【０００３】
このような挟み式操作タイプのものにおいて、更に操作性を向上させるために、ねじりバネを操作部材の交差部分に取り付け、上当部及び下当部からなる圧着部を常に開放位置に付勢するものも提案されている。例えば特許文献１では、金属バンドを用いてねじりバネの両端部を操作部材に固定している。また、特許文献２では、ねじりバネの両端部と操作部材の端部とを一緒にして合成樹脂製の指掛け部に圧入することにより、ねじりバネを操作部材に取り付けている。
【特許文献１】実開昭５５−１６１４０１号公報
【特許文献２】登録実用新案第３０３３２３７号公報
【考案の開示】
【考案が解決しようとする課題】
【０００４】
しかしながら、特許文献１のように、ねじりバネの端部を金属バンドで固定する場合には、金属バンドをプレスしたり、スポット溶接したりする必要があり、部品点数や製造工程が増えてしまうという問題がある。
【０００５】
また、金属バンドをプレスしたり、特許文献２のように、操作部材の端部と一緒にねじりバネの端部を指掛け部内に嵌合したり圧入したりして、ねじりバネの端部を固定する場合には、単にねじりバネの端部を被っているだけであり、使っているうちにねじりバネが抜けたり、取り付け位置が前後左右にずれたりすることがある。ねじりバネが抜けてしまうと、カール器の使用中では顔を傷つけてしまうというおそれがある。特に目の近くで操作しているため、目を傷つけてしまうおそれがある。また、取り付け位置がずれてしまうと、操作感が損なわれる他に、不安定な操作となり、まつげを確実にカールしたり、まつげの全体にわたって均等にカールしたりすることができなくなるという問題がある。
【０００６】
本考案は上記課題を解決するものであり、操作性に優れ、バネ部材の脱落や、位置ずれなどが発生することがないようにしたまつげカール器を提供することを目的とする。
【課題を解決するための手段】
【０００７】
上記目的を達成するために、本考案は、下部に指掛け部を有し互いに交差するように取付軸部により回転変位自在に取り付けられている第１操作部材及び第２操作部材と、第１操作部材の上部に取り付けられる上当部と、この上当部の下方で第１操作部材に摺動可能に取り付けられ前記第１及び第２操作部材の開閉操作により上当部に当接離反する下受部とを有し、前記上当部と下当部との間にまつげを挟み、まつげに反り癖をつけるまつげカール器において、前記取付軸部の下方の第１操作部材と前記第２操作部材との間で各操作部材に沿って配置されるバネ部材と、前記バネ部材の両端部に形成される折り曲げ係止部と、前記バネ部材の取付状態において前記折り曲げ係止部が位置する前記第１操作部材及び第２操作部材の部位に形成され、前記折り曲げ係止部が挿入される係止孔と、前記係止孔に前記折り曲げ係止部が挿入された状態で前記折り曲げ係止部を含む前記バネ部材の一部を被うように、前記第１操作部材及び第２操作部材に嵌合し、前記指掛け部を構成する指掛けカバーとを備えることを特徴とする。
【０００８】
また、前記第１操作部材及び第２操作部材はワイヤを折り曲げて前記ワイヤを並列させたワイヤフレーム構造体から構成され、前記係止孔の中心は前記並列させたワイヤ同士の密着部に位置していることを本考案は特徴とする。また、前記バネ部材は、ねじりバネ、棒バネ、板バネ、圧縮コイルバネのいずれか一つであることを特徴とする。
【考案の効果】
【０００９】
本考案によれば、取付軸部の下方の第１操作部材と前記第２操作部材との間で各操作部材に沿って配置されるバネ部材の両端部に折り曲げ係止部を形成し、前記第１操作部材及び第２操作部材の前記折り曲げ係止部が位置する部位に係止孔を形成し、この係止孔に折り曲げ係止部を挿入した状態で、前記折り曲げ係止部を含む前記バネ部材の一部を被うように、指掛けカバーを第１操作部材及び第２操作部材に嵌合することにより、バネ部材の端部を確実に各操作部材に取り付けることができ、バネ部材の端部の位置ズレや脱落を無くすことができる。
【００１０】
また、ワイヤフレーム構造体からなる操作部材に対して、並列させたワイヤの密着部に前記バネ部材の端部を係止させる係止孔を位置させることにより、ワイヤフレーム構造体のワイヤによる窪み部にバネ部材の端部を位置決めすることができ、バネ部材がワイヤフレーム構造体に確実に保持されて、脱落や位置ズレを確実に無くすことができる。
【考案を実施するための最良の形態】
【００１１】
図１及び図２に示すように、本考案のまつげカール器１０は、第１操作部材１１及び第２操作部材１２と、第１操作部材１１の上部に取り付けられる上当部１３と、この上当部１３の下方で第１操作部材１１に摺動可能に取り付けられる下当部１４と、第１操作部材１１と第２操作部材１２とを開き方向に付勢するねじりバネ１５と、取付ブラケット１６と、指掛けカバー１７，１８とを有する。第１操作部材１１及び第２操作部材１２の開閉操作により、下当部１４は上当部１３に当接し押圧する押圧位置と、この押圧位置から退避した退避位置との間で変位する。押圧位置では、上当部１３と下当部１４との間にまつげが挟まれて押圧されることにより、まつげに反り癖が付けられる。
【００１２】
図２に示すように、第１操作部材１１はワイヤ２０をＹ字型に折り曲げたワイヤフレーム構造体であり、上部に拡開部２１が、下部にワイヤが１８０度に折り曲げられた把持部２２が形成されている。拡開部２１には、上端部に上当部１３が固着されている。上当部１３は瞼の表面に沿うように湾曲している。
【００１３】
また、拡開部２１には上当部１３の下方で下当部１４が摺動可能に取り付けられている。下当部１４も上当部１３と同様に瞼の表面に沿うように湾曲している。下当部１４は、下当フレーム２３と受け具２４と連動アーム２５とから構成されている。下当フレーム２３の両端部には取付孔２３ａが形成されており、この取付孔２３ａには拡開部２１のワイヤ２０が挿通される。受け具２４はゴム状弾性体からなり、下当フレーム２３に固着されて保持されている。連動アーム２５はＶ字状に折り曲げて形成されており、下端折り曲げ部２５ａが第２操作部材１２の上端部の取付孔１２ａに回動自在に取り付けられている。
【００１４】
取付ブラケット１６は金属製取付板をプレスにより折り曲げ形成したものであり、第１操作部材１１のほぼ中央部に取り付けられている。この取付ブラケット１６は、第２操作部材１２を回動自在に保持する取付軸部３０を有する。取付軸部３０は、取付ブラケット１６の端部に取付孔を形成し、この取付孔に取付ピン３１を挿入してカシメにより、第２操作部材１２を回動自在に保持している。
【００１５】
第２操作部材１２は第１操作部材１１と同様にワイヤ２９を折り曲げたワイヤフレーム構造体であり、下部の折り曲げ部分が把持部２６となり、上部に連動アーム取付部２７、連動アーム取付部２７の近くでブラケット取付部２８がプレス加工により形成されている。
【００１６】
ねじりバネ１５はバネ用ワイヤをコイル状に巻いて構成されている。ねじりバネの両端部は略９０度に折り曲げられており、折り曲げ係止部３２，３３が形成されている。
【００１７】
第１操作部材１１及び第２操作部材１２の各把持部２２，２６には指掛けカバー１７，１８が嵌合により取り付けられる。指掛けカバー１７，１８は、親指または人指し指が入る指掛け孔３５と、把持部２２，２６が挿入される取付穴３６とを有し、合成樹脂から構成されている。
【００１８】
ねじりバネ１５の取付状態において、第１操作部材１１及び第２操作部材１２に対し折り曲げ係止部３２，３３が位置する部位には、係止孔４０，４１が形成されている。係止孔４０，４１は、ワイヤフレーム構造体のワイヤ２０，２９同士が密着している密着部３９に、中心を合わせて形成されている。この係止孔４０，４１には、ねじりバネ１５の折り曲げ係止部３２，３３が挿入されて係止される。
【００１９】
図３に示すように、係止孔４０に折り曲げ係止部３２が挿入された状態で、指掛けカバー１７が把持部２２に挿入嵌合され、これにより指掛けカバー１７が第１操作部材１１に取り付けられる。同様にして、第２操作部材１２にも指掛けカバー１８が取り付けられる。なお、本実施形態では、圧入により指掛けカバー１７，１８を把持部２２，２６に固定しているが、これに代えて又は加えて、接着剤を用いて固着してもよい。
【００２０】
図３及び図４に示すように、ねじりバネ１５の折り曲げ係止部３２が操作部材１１の係止孔４０に挿入されると、ワイヤフレーム構造体のワイヤ２０による窪み部４５に、ねじりバネ１５の端部を位置決めすることができる。したがって、ねじりバネ１５がワイヤフレーム構造体の窪み部４５によって確実に保持されているため、脱落や位置ズレが無くなる。しかも、指掛けカバー１７で折り曲げ係止部３２が被われた状態となるため、ねじりバネ１５を各操作部材１１，１２に確実に取り付けることができる。
【００２１】
使用に際しては、一方の指掛けカバー１７に親指を、他方の指掛けカバー１８に人指し指を入れて、まつげを上当部１３と下当部１４の間に入れた状態で閉じ操作を行うことにより、まつげを挟み込み、反り癖を与えることができる。このとき、ねじりバネ１５によって第１及び第２操作部材１１，１２が常に開き状態にされているので、使い勝手が向上する。また、ねじりバネ１５の両端部に折り曲げ係止部３２，３３を形成し、この折り曲げ係止部３２，３３を係止孔４０，４１に挿入しているので、確実にねじりバネ１５を固定することができ、脱落のおそれや位置ズレの発生がなくなる。さらに、係止孔４０，４１内に折り曲げ係止部３２，３３を入れた状態で操作部材１１，１２の把持部２２，２６を指掛けカバー１７，１８に圧入しているため、ねじりバネ１５がずれたり、脱落したりすることがなく、確実にねじりバネ１５を保持することができる。
【００２２】
図５は、取付ブラケットを省略して、第２操作部材５２を第１操作部材５１に取付軸部５３を介し直接に取り付けたまつげカール器５０を示している。取付軸部５３を変更した以外の基本的な構成は図１〜図４に示すものと略同様に構成されており、図１〜図４に示す第１実施形態のものと同一構成部材には同一符号を付して重複した説明を省略している。但し、取付軸５４の位置が図１のものと異なっているため、それに対応させて、第１及び第２操作部材５１，５２及び連動アーム５５の折り曲げ形状が変えられている。
【００２３】
符号６０はねじりバネ保護カバーであり、板金により第１操作部材５１と第２操作部材５２との間で、例えば第１操作部材５１に固着されている。このねじりバネ保護カバー６０は第２操作部材５２のストッパ６１も兼用しており、ねじりバネ１５で開き方向に付勢されている第２操作部材５２を一定位置で係止している。ねじりバネ保護カバー６０は、二点鎖線で示すように、必要に応じて取り付けられるものであり、省略してもよい。また、板金から構成しているが、合成樹脂製のバンドから構成してもよい。なお、ねじりバネ保護カバー６０を設ける代わりに又は加えて、下当部１４の退避位置を規制する位置で第１操作部材５１に、第２操作部材５２のストッパ６５（二点鎖線表示）を設けてもよい。
【００２４】
指掛けカバー１７，１８は予め金型により成形した合成樹脂成形品を用いたが、これに代えて、溶融合成樹脂を用いて、各操作部材の指掛け部分を被覆して形成してもよい。この場合には各操作部材に指掛け部をワイヤの折曲により形成しておく。そして、ねじりバネの折り曲げ係止部の係止孔と、ねじりバネの両端部近くまで、溶融合成樹脂内に浸漬して合成樹脂を被覆する。
【００２５】
上記各実施形態では、バネ部材としてねじりバネ１５を用いたが、ねじりバネ１５の代わりに、棒バネ、板バネ、圧縮コイルバネのいずれかを用いてもよい。この場合にも、各バネの両端部に折り曲げ形成部を形成し、これを各操作部材の係止孔に挿入して係止させ、さらにこの折り曲げ係止部を含むバネの両端部を指掛けカバーで被うように取り付ける。
【図面の簡単な説明】
【００２６】
【図１】本考案のまつげカール器を示す側面図である。
【図２】同正面図である。
【図３】操作部材へのねじりバネの取付状態を示す図１における III−III 線に沿う断面図である。
【図４】操作部材へのねじりバネの取付状態を示す図１におけるIV−IV線に沿う断面図である。
【図５】本考案の別実施形態のまつげカール器を示す側面図である。
【符号の説明】
【００２７】
１０，５０  まつげカール器
１１，５１  第１操作部材
１２，５２  第２操作部材
１３  上当部
１４  下当部
１５  ねじりバネ（バネ部材）
１６  取付ブラケット
１７，１８  指掛けカバー
２０，２９  ワイヤ
２１  フレーム構造体
２２，２６  把持部
２５  連動アーム
３０  取付軸部
３２，３３  折り曲げ係止部
４０，４１係止孔
４５  窪み部
６０  ねじりバネ保護カバー
【図１】
0003137017.tif 000003
【図２】
0003137017.tif 000004
【図３】
0003137017.tif 000005
【図４】
0003137017.tif 000006
【図５】
0003137017.tif 000007